(57)【要約】【課題】工期および工費を削減することができるタンクの構造を提供する。【解決手段】基礎版２と、基礎版２の上に設置された内槽３と、基礎版２の上に設置されて内槽３を囲むＰＣ防液堤４と、を有するタンク１の構造において、基礎版２とＰＣ防液堤４とを水平方向に相対移動可能とするすべり支承５と、基礎版２から上方に突出しＰＣ防液堤４を所定の間隔をあけて囲むストッパ６と、を有する。ＰＣ防液堤４とストッパ６との間には、弾性変形可能な弾性部材７が設けられている。【選択図】図１
2017007711.tif 000002
【特許請求の範囲】
【請求項１】
基礎版と、
該基礎版の上に設置された内槽と、
前記基礎版の上に設置されて前記内槽を囲むＰＣ防液堤と、を有するタンクの構造において、
前記基礎版と前記ＰＣ防液堤とを水平方向に相対移動可能とするすべり支承と、
前記ＰＣ防液堤を該ＰＣ防液堤との間に所定の間隔をあけて囲むストッパと、を有することを特徴とするタンクの構造。
【請求項２】
前記ＰＣ防液堤と前記ストッパとの間には、弾性変形可能な弾性部材が設けられていることを特徴とする請求項１に記載のタンクの構造。
【発明の詳細な説明】
【技術分野】
【０００１】
本発明は、液化ガスなどを貯蔵するタンクの構造に関する。
【背景技術】
【０００２】
液化天然ガス（ＬＮＧ）等の極低温の液化ガスなどを貯蔵するタンクとして、内槽の外周にプレストレスが導入されたＰＣ構造のＰＣ防液堤が設けられたものが知られている（例えば、特許文献１参照）。このようなタンクでは、ＰＣ防液堤は基礎版と剛結されている。
【先行技術文献】
【特許文献】
【０００３】
【特許文献１】特開２００９−２９９７４９号公報
【発明の概要】
【発明が解決しようとする課題】
【０００４】
ところで、ＰＣ防液堤にはプレストレスにより下端部の外周側に引張応力が発生するため、この引張応力に抵抗できるように、ＰＣ防液堤と基礎版との連結部にＰＣ鋼棒を配置したり、ＰＣ防液堤に鉛直方向に延びるＰＣテンドンを配置したり、ＰＣ防液堤の外周側の縦筋を増加させたりする必要がある。また、ＰＣ防液堤の下部に効果的にＰＣ鋼棒を配置するために、ＰＣ防液堤の下部の外側にハンチを設けることがある。
このため、液化ガスなどを貯蔵するタンクのＰＣ防液堤を有するタンクの施工には、工期および工費がかかるという問題がある。
【０００５】
そこで本発明は、工期および工費を削減することができるタンクの構造を提供することを目的とする。
【課題を解決するための手段】
【０００６】
上記目的を達成するため、本発明に係るタンクの構造は、基礎版と、該基礎版の上に設置された内槽と、前記基礎版の上に設置されて前記内槽を囲むＰＣ防液堤と、を有するタンクの構造において、前記基礎版と前記ＰＣ防液堤とを水平方向に相対移動可能とするすべり支承と、前記ＰＣ防液堤を該ＰＣ防液堤との間に所定の間隔をあけて囲むストッパと、を有することを特徴とする。
【０００７】
本発明では、ＰＣ防液堤が基礎版と剛結されておらず、すべり支承によってストッパの内側において基礎版と水平方向に相対移動可能であることにより、ＰＣ防液堤の変位や変形によってＰＣ防液堤に発生する引張応力を軽減することができる。そして、基礎版とＰＣ防液堤とが剛結されている場合のように、ＰＣ防液堤の変位や変形によってＰＣ防液堤に発生する引張応力に抵抗するためにＰＣ鋼棒やＰＣテンドンを配置したり、ＰＣ防液堤の外周側の縦筋を増加させたりする必要がないため、タンクの施工にかかる工期および工費を削減することができる。
【０００８】
また、本発明に係るタンクの構造では、前記ＰＣ防液堤と前記ストッパとの間には、弾性変形可能な弾性部材が設けられていることが好ましい。
このような構成とすることにより、ＰＣ防液堤の変位や変形によってストッパを介して基礎版に伝わる作用力を軽減させることができる。また、弾性部材に止液機能を持たせることにより、万一内槽から内容液が流出した場合でも、ＰＣ防液堤とストッパとの間から内容液が流出することを防止できる。
【発明の効果】
【０００９】
本発明によれば、タンクの施工にかかる工期および工費を削減することができる。
【図面の簡単な説明】
【００１０】
【図１】本発明の実施形態によるタンクの構造の一例を示す図である。
【図２】図１のＡ部分拡大図で内槽を省略した図である。
【発明を実施するための形態】
【００１１】
以下、本発明の実施形態によるタンクの構造について、図１および図２に基づいて説明する。
図１に示すように、本実施形態によるタンク１は、基礎版２と、基礎版２の上に設置され例えば液化ガスなどが貯蔵される内槽３と、基礎版２の上に設置されて内槽３を囲むＰＣ防液堤４と、基礎版２とＰＣ防液堤４とを水平方向に相対移動可能に支持するすべり支承５と、基礎版２から上方に突出しＰＣ防液堤４を所定の間隔をあけて囲むストッパ６と、ＰＣ防液堤４とストッパ６との間に設けられた弾性部材７と、を有している。
【００１２】
基礎版２は、地盤に支持されていて、例えば鉄筋コンクリートなどで平面視において略円形状に形成されている。
内槽３は、例えば鋼材などで液化ガスなどを貯蔵可能な公知の構造で形成されている。内槽３は、平面視において略円形状の底部３１と、底部の縁部から立ち上がる円筒状の壁部３２と、中央部が上側に突出するように湾曲した屋根部３３と、を有している。内槽３は、基礎版２に固定されている。
【００１３】
ＰＣ防液堤４は、内槽３の壁部３２を囲む略円筒状に形成されていて、プレストレスが導入されている。ＰＣ防液堤４は、上端部が内層３の壁部３２の上端部近傍の高さに配置されている。ＰＣ防液堤４は、内槽３内の液化ガスなどの内容液が万一流出した場合に、流出した内容液を内側に収容可能な形状に形成されている。
【００１４】
図２に示すように、すべり支承５は、表面がテフロン（登録商標）などで加工された第１金属板５１と、第１金属板５１上をスライド可能な第２金属板５２とを有している。本実施形態では、第１金属板５１が基礎版２の上面に固定され、第２金属板５２がＰＣ防液堤４の下面に固定されている。第１金属板５１は、基礎版２の上面のうちの平面視においてＰＣ防液堤４と上下方向に重なる領域およびその近傍の領域に設けられている。
基礎版２とＰＣ防液堤４との間にすべり支承５が設けられることにより、ＰＣ防液堤４は、第１金属板５１とともに基礎版２（第２金属板５２）上を水平方向に移動可能となっている。
なお、第１金属板５１の上面と第２金属板５２の下面との間に隙間が生じないように、第１金属板５１の上面および第２金属板５２の下面は平坦面に成形されていている。
【００１５】
ストッパ６は、例えば鉄筋コンクリートなどで基礎版２と一体に形成されていて、ＰＣ防液堤４の下端部近傍を囲繞する略円筒状に形成されている。
弾性部材７は、弾性変形可能なウレタンやゴムなどで形成されている。弾性部材７は、ＰＣ防液堤４の下端部近傍の外周面とストッパ６の内周面との間全体に設けられていて、ＰＣ防液堤４の外周面とストッパ６の内周面との隙間を封止している。
【００１６】
本実施形態によるタンク１では、ＰＣ防液堤４が変位や変形により水平方向に移動しようとすると、基礎版２とＰＣ防液堤４との間にすべり支承５が設けられていることにより、基礎版２とＰＣ防液堤４とが水平方向に相対変位する。このとき、弾性部材７は、ＰＣ防液堤４とストッパ６との間隔に追従して弾性変形する。万一内槽３から内容液が流出した場合は、ＰＣ防液堤４がストッパ６に近付くが、弾性部材７がこの作用力を緩衝し、ストッパ６によりＰＣ防液堤４の変位（半径方向の外側に向かう変位）が拘束される。
【００１７】
次に、上述した本実施形態によるタンクの構造の作用・効果について図面を用いて説明する。
上述した本実施形態によるタンク１の構造では、基礎版２とＰＣ防液堤４とが剛結されておらず、すべり支承５によって基礎版２とＰＣ防液堤４とが水平方向に相対移動可能であることにより、ＰＣ防液堤４の変位や変形によってＰＣ防液堤４に発生する引張応力を軽減することができる。そして、基礎版２とＰＣ防液堤４とが剛結されている場合のように、ＰＣ防液堤４の変位や変形によってＰＣ防液堤４に発生する引張応力に抵抗するためにＰＣ防液堤４にＰＣ鋼棒やＰＣテンドンを配置したり、ＰＣ防液堤４の外周側の縦筋を増加させたりする必要がないため、タンク１の施工にかかる工期および工費を削減することができる。ＰＣ防液堤４の下部に効果的にＰＣ鋼棒を配置させるためにＰＣ防液堤４の下部の外側にハンチを設けることがあるが、本実施形態によるタンク１では、ハンチを設ける必要がなく、タンク１の施工にかかる工期および工費を削減することができる。
【００１８】
また、ＰＣ防液堤４とストッパ６との間には、弾性変形可能な弾性部材７が設けられていることにより、ＰＣ防液堤４の変位や変形によってストッパ６を介して基礎版２に伝わる作用力を軽減させることができる。また、弾性部材７に止液機能を持たせることにより、万一内槽３から内容液が流出した場合でも、ＰＣ防液堤４とストッパ６との間から内容液が流出することを防止できる。
【００１９】
以上、本発明によるタンクの構造の実施形態について説明したが、本発明は上記の実施形態に限定されるものではなく、その趣旨を逸脱しない範囲で適宜変更可能である。
例えば、上記の実施形態では、ストッパ６は、基礎版２と一体に形成されているが、基礎版２と別々に形成されて基礎版２と剛結されていてもよい。
【００２０】
また、上記の実施形態では、弾性部材７は、ＰＣ防液堤４の下端部近傍の外周面とストッパ６の内周面との間全体に設けられているが、ＰＣ防液堤４の下端部近傍の外周面とストッパ６の内周面との間にタンクの周方向に間隔をあけて複数設けられていてもよい。
また、上記の実施形態では、ＰＣ防液堤４とストッパ６との間に弾性部材７を設けて、弾性部材７がＰＣ防液堤４の変位や変形によってストッパ６に伝わる作用力を軽減させているが、ＰＣ防液堤４とストッパ６との間に弾性部材７を設けずに、ストッパ６がＰＣ防液堤４の変位や変形によって伝わる作用力に耐えられる形態に形成されていてもよい。
また、上記の実施形態では、ＰＣ防液堤４は、上端部が内層３の壁部３２の上端部近傍の高さに配置されるように形成されているが、ＰＣ防液堤４は、適宜設計された高さに形成されていてもよい。
【符号の説明】
【００２１】
１  タンク
２  基礎版
３  内槽
４  ＰＣ防液堤
５  すべり支承
６  ストッパ
７  弾性部材
【図１】
2017007711.tif 000003
【図２】
2017007711.tif 000004